(57)【要約】【課題】複数本の缶入り飲料を一括包装したカートンパックに付設して、その販促用のおまけ品を確実に収容保持することができると共に、カートンパック表面に印刷された宣伝広告用の文字や絵柄、写真等を極力覆い隠さないようにすることができるカートンパック用の付設パッケージを提供する。【解決手段】パッケージ本体１１の上面部１２に販促用のおまけ品Ｃ７を差し込んで保持する穴１６が形成され、背面部１５の側端にカートンパック１の前壁部３と缶入り飲料Ｃ３との間に差し込む第一のタブ１７が形成され、背面部の上端にカートンパックの上壁部２に被せるフラップ１８が形成され、該フラップの延長端にカートンパックの上壁部と缶入り飲料Ｃ１との間に差し込む第二のタブ１９が形成されている。【選択図】図４
0003181922.tif 000002
【実用新案登録請求の範囲】
【請求項１】
複数本の缶入り飲料を一括的に包み込んだ板紙により上壁部、前壁部、下壁部及び後壁部からなる横筒形に成形されたカートンパックの前壁部又は後壁部に脱着可能に付設して、販促用のおまけ品を一部外部に露呈させた状態で収容するパッケージとして使用されるカートンパック用の付設パッケージにおいて、パッケージ本体が、前記おまけ品を差し込んで保持する穴が形成された上面部と、これに連なる前面部、底面部及び背面部とからなる横筒形に成形されると共に、前記背面部の側端に、前記カートンパックの前壁部又は後壁部と該カートンパック内の缶入り飲料との間に差し込む第一のタブが形成され、前記背面部の上端に、前記カートンパックの上壁部に被さるように直角的に折り曲げるフラップが形成され、該フラップの左右片端側が前記第一のタブが形成された前記背面部の側端方向とは逆方向に延長されて、その延長端に、前記カートンパックの上壁部と該カートンパック内の缶入り飲料との間に差し込む第二のタブが形成されていることを特徴とする付設パッケージ。
【請求項２】
前記パッケージ本体の上面部、前面部、底面部及び背面部が、一枚の板紙からなるパッケージブランクを折り起こして形成されると共に、その上面部と背面部とが、上面部に形成された左右一対の接合用タブを背面部に形成された左右一対の接合用スリットに差し込んで背面部の裏面側に折り曲げることにより互いに接合されて、前記パッケージ本体が横筒形に成形される請求項１記載の付設パッケージ。
【請求項３】
前記パッケージ本体の前面部の高さが背面部の高さよりも低く形成されて、該パッケージ本体の上面部が、前記背面部から前記前面部へ片流れする傾斜上面部となる請求項１又は２記載の付設パッケージ。
【請求項４】
前記第一のタブの形状が、前記背面部の側端を底辺とする三角形に形成されている請求項１、２又は３記載の付設パッケージ。
【考案の詳細な説明】
【技術分野】
【０００１】
本考案は、複数本の缶入り飲料が一括包装されたカートンパックに付設して、販促用のおまけ品を収容するパッケージとして使用されるカートンパック用の付設パッケージに関する。
【０００２】
缶コーヒーや缶ジュース、缶ビールなどの缶入り飲料は、販売促進キャンペーン期間中に販促用のおまけ品を付けて販売することが行われており、例えば缶コーヒーには、ミニカー、プラモデル、フィギュア、キーホルダー、マネークリップ、コインケース、ポーチなどの販促用のおまけ品を透明袋や透明プラスチックケース、ブリスターパック、紙箱等に入れて、缶コーヒーの円筒缶や、缶コーヒー６本入りのカートンパック（６缶パック）に接着テープや粘着シール等で貼り止めるなどしている。
【０００３】
しかし、缶コーヒー６本入りのカートンパックに、販促用のおまけ品として缶コーヒーをもう１本付ける場合は、重さが２００ｇ以上ある缶コーヒーをカートンパックに対して接着テープや粘着シールで脱落しないように貼り止めることが困難であるうえ、接着テープや粘着シールで貼り止めると商品全体の外観・体裁が損なわれるおそれがある。
【０００４】
そこで、図５の如く、６本の缶コーヒーＣ１〜Ｃ６を３本ずつ２列に並べて一括的に包み込んだ板紙により上壁部２、前壁部３、下壁部４及び後壁部５からなる横筒形に成形された６本入りカートンパック１の前壁部３に脱着可能に付設して、販促用のおまけ品となる７本目の缶コーヒーＣ７を一部外部に露呈させた状態で収容するパッケージとして使用される「おまけ商品カートン」と称するカートンパック用の付設パッケージ４０が提案されている（特許文献１参照）。
【０００５】
すなわち、図５（ａ）は、一枚の板紙からなるパッケージブランク（特許文献１の図１参照）を折り起こして組み立てられる付設パッケージ４０の斜視図、図５（ｂ）は、付設パッケージ４０がカートンパック１の前壁部３に付設された状態を示す斜視図、図５（ｃ）は、図５（ｂ）のＶ−Ｖ線断面図であって、付設パッケージ４０は、そのパッケージ本体４１が、円筒缶からなる缶コーヒーＣ７の下底を載せる円形の底面部４２と、該底面部４２の前後に連なる前面部４３と背面部４４とからなり、前面部４３と背面部４４の左右両側が各々左右方向に延長されて、その延長端に、カートンパック１の前壁部３と該カートンパック１内の缶コーヒーＣ１、Ｃ３との間に夫々差し込む各一対のタブ４５Ｒ及び４５Ｌ、４６Ｒ及び４６Ｌが形成され、前面部４３の左右延長部の上端に、背面部４４の左右延長部の裏面側に折り曲げて該背面部４４と前面部４３とを一体化させる一対のタブ４７Ｒ及び４７Ｌが形成されている（特許文献１の図３、図４及び図５参照）。
【０００６】
しかしながら、特許文献１の図１に記載のパッケージブランクを折り起こして本願図面の図５（ａ）の如く組み立てる付設パッケージ４０は、パッケージ本体４１の前面部４３と背面部４４が、図５（ｃ）の如く缶コーヒーＣ７の缶周面に対して全面密着した円弧形状に保持される構成とはなっておらず、また、前面部４３の左右延長部の上端に形成されたタブ４７Ｒ及び４７Ｌも、図５（ｃ）の如く背面部４４の左右延長部の裏面側に対して全面密着した折り曲げ形状に保持される構成とはなっていない。
【０００７】
したがって、図５に示す従来の付設パッケージ４０は、そのパッケージ本体４１の底面部４２に載せ立てて前面部４３と背面部４４との間に収容される缶コーヒーＣ７を前面部４３と背面部４４とで確りと挟持することができないから、缶コーヒーＣ７を振れ動かす力が作用して、缶コーヒーＣ７がパッケージ本体４１にもたれ掛かると、その重みでパッケージ本体４１の前面部４３と背面部４４の間隔が圧し拡げられて、缶コーヒーＣ７が、傾いたり、倒れたり、あるいは脱落するなどの不具合を生ずるおそれが大である。
【０００８】
そのため、付設パッケージ４０のパッケージ本体４１を形成する前面部４３と背面部４４の左右両側を互いに両面接着テープで貼り合わせる構成が提案されている（特許文献１の図６参照）。パッケージ本体４１の前面部４３と背面部４４の左右両側を互いに両面接着テープで貼り合わせると、前面部４３と背面部４４が、図５（ｃ）の如く缶コーヒーＣ７の缶周面に全面密着する円弧形状に保持されて、その前面部４３と背面部４４とで缶コーヒーＣ７を確りと挟持することが可能となるが、両面接着テープを用いると、その分だけ付設パッケージ４０の製造・加工コストが嵩むという問題がある。
【０００９】
また、付設パッケージ４０は、これをカートンパック１の前壁部３に付設すると、図５（ｂ）及び（ｃ）の如く、パッケージ本体４１と、その前面部４３及び背面部４４の左右両側から左右方向に延びる延長部とが、カートンパック１の前壁部３の表面を覆うこととなるから、前壁部３の表面に印刷された宣伝広告用の文字や絵柄、写真等の大半が覆い隠されて、その宣伝広告機能が著しく損なわれるという不具合がある。
【先行技術文献】
【特許文献】
【００１０】
【特許文献１】実用新案登録第３１６８８５８号公報
【考案の概要】
【考案が解決しようとする課題】
【００１１】
本考案は、カートンパック用の付設パッケージに関して、該パッケージに収容する販促用のおまけ品が缶コーヒー等であっても、そのおまけ品を、傾いたり、倒れたり、脱落しないように確りと保持することができる構成にすると同時に、宣伝広告用の文字や絵柄、写真等が印刷されたカートンパックの表面を極力覆い隠さないような構成にすることを技術的課題としている。
【課題を解決するための手段】
【００１２】
上記課題を解決するために、本考案は、複数本の缶入り飲料を一括的に包み込んだ板紙により上壁部、前壁部、下壁部及び後壁部からなる横筒形に成形されたカートンパックの前壁部又は後壁部に脱着可能に付設して、販促用のおまけ品を一部外部に露呈させた状態で収容するパッケージとして使用されるカートンパック用の付設パッケージにおいて、パッケージ本体が、前記おまけ品を差し込んで保持する穴が形成された上面部と、これに連なる前面部、底面部及び背面部とからなる横筒形に成形されると共に、前記背面部の側端に、前記カートンパックの前壁部又は後壁部と該カートンパック内の缶入り飲料との間に差し込む第一のタブが形成され、前記背面部の上端に、前記カートンパックの上壁部に被さるように直角的に折り曲げるフラップが形成され、該フラップの左右片端側が前記第一のタブが形成された前記背面部の側端方向とは逆方向に延長されて、その延長端に、前記カートンパックの上壁部と該カートンパック内の缶入り飲料との間に差し込む第二のタブが形成されていることを特徴とする。
【考案の効果】
【００１３】
本考案の付設パッケージは、販促用のおまけ品を、上面部、前面部、底面部及び背面部とからなる横筒形に成形されたパッケージ本体の上面部に形成された穴に差し込んで保持する構成となっているので、販促用のおまけ品が缶入り飲料であっても、接着テープや粘着シール等を使用することなく、その缶入り飲料を確実に収容保持することができる。
【００１４】
また、本考案の付設パッケージは、パッケージ本体の背面部の側端に形成された第一のタブをカートンパックの前壁部（又は後壁部）と該カートンパック内の缶入り飲料との間に差し込み、パッケージ本体の背面部の上端に形成されたフラップをカートンパックの上壁部に被さるように直角的に折り曲げると共に、該フラップの延長端に形成された第二のタブをカートンパックの上壁部と該カートンパック内の缶入り飲料との間に差し込んで、カートンパックの前壁部（又は後壁部）に付設される。したがって、カートンパックの前壁部（又は後壁部）の表面には、付設パッケージの本体部分のみしか存在しないから、付設パッケージによってカートンパックの前壁部（又は後壁部）の表面に印刷された宣伝広告用の文字や絵柄、写真等が覆い隠される不具合を最小限に抑えることができる。
【図面の簡単な説明】
【００１５】
【図１】本考案の実施例に係る付設パッケージを形成するパッケージブランクの平面図
【図２】本考案の実施例に係る付設パッケージの組立手順を示す斜視図
【図３】本考案の実施例に係る付設パッケージをカートンパックに付設する手順を示す斜視図
【図４】本考案の実施例に係る付設パッケージがカートンパックに付設された状態を示す斜視図
【図５】カートンパック用の付設パッケージの従来例を示す図
【考案を実施するための形態】
【００１６】
本考案の実施形態に係る付設パッケージは、例えば６本の缶入り飲料を３本ずつ２列に並べて一括的に包み込んだ板紙により上壁部、前壁部、下壁部及び後壁部からなる横筒形に成形された６本入りカートンパックの前壁部に対して脱着可能に付設されるもので、そのパッケージ本体が、販促用のおまけ品を差し込んで保持する穴が形成された上面部と、これに連なる前面部、底面部及び背面部とからなる横筒形に成形されると共に、パッケージ本体の背面部の側端に、カートンパックの前壁部と該カートンパック内の缶入り飲料との間に差し込む第一のタブが形成され、パッケージ本体の背面部の上端に、カートンパックの上壁部に被さるように直角的に折り曲げるフラップが形成され、該フラップの左右片端側が前記第一のタブが形成された背面部の側端方向とは逆方向に延長されて、その延長端に、カートンパックの上壁部と該カートンパック内の缶入り飲料との間に差し込む第二のタブが形成されている。なお、パッケージ本体の背面部の側端に形成された前記第一のタブは、パッケージ本体の背面部の側端を底辺とする三角形に形成されている。
【００１７】
また、付設パッケージは、パッケージ本体の上面部、前面部、底面部及び背面部が、一枚の板紙からなるパッケージブランクを折り起こして形成されると共に、その上面部と背面部とが、上面部に形成された左右一対の接合用タブを背面部に形成された左右一対の接合用スリットに差し込んで背面部の裏面側に折り曲げることにより互いに接合されて、パッケージ本体が上面部、前面部、底面部及び背面部からなる横筒形に成形されるようになっている。  
【００１８】
また、パッケージ本体は、その前面部の高さが背面部の高さよりも低く形成されて、該パッケージ本体の上面部が、背面部から前面部へ片流れする傾斜上面部となるように構成されている。
【実施例】
【００１９】
本考案の実施例に係る付設パッケージ１０は、図３及び図４の如く、６本の缶コーヒーＣ１〜Ｃ６を３本ずつ２列に並べて一括的に包み込んだ板紙により上壁部２、前壁部３、下壁部４及び後壁部５からなる横筒形に成形された６本入りカートンパック１の前壁部３に脱着可能に付設して、販促用のおまけ品となる７本目の缶コーヒーＣ７を一部外部に露呈させた状態で収容するパッケージとして使用されるものである。
【００２０】
付設パッケージ１０は、そのパッケージ本体１１が、６本入りカートンパック１に販促用のおまけ品として付ける１本の缶コーヒーＣ７を差し込んで保持する穴１６が形成された上面部１２と、これに連なる前面部１３、底面部１４及び背面部１５とからなる横筒形に成形され、パッケージ本体１１の背面部１５の右端には、カートンパック１の前壁部２とカートンパック１内の缶コーヒーＣ３との間に差し込む第一のタブ１７が形成され、背面部１５の上端には、カートンパック１の上壁部２に被さるように直角的に折り曲げるフラップ１８が形成され、該フラップ１８の左端側が、第一のタブ１７が形成された背面部１５の右端方向とは逆方向の左方向に延長されて、その延長端に、カートンパック１の上壁部２とカートンパック１内の缶コーヒーＣ１との間に差し込む第二のタブ１９が形成されている。
【００２１】
付設パッケージ１０のパッケージ本体１１は、その上面部１２、前面部１３、底面部１４及び背面部１５が、図１に示す一枚の板紙からなるパッケージブランクＢを折り起こして形成されると共に、上面部１２と背面部１５とが、上面部１２に形成された左右一対の接合用タブ２０Ｒ、２０Ｌを背面部１５に形成された左右一対の接合用スリット２１Ｒ、２１Ｌに差し込んで背面部１５の裏面側に折り曲げることにより互いに接合されて、左右側面を開放した横筒形に成形されるようになっている。
【００２２】
また、パッケージ本体１１は、その前面部１３の高さが背面部１５の高さよりも低く形成されて、上面部１２が、背面部１５から前面部１３へ片流れする傾斜上面部となるように構成されると共に、該傾斜上面部に形成される穴１６が、円筒缶からなる缶コーヒーＣ７を差し込んでガタツキなく保持することができる楕円形穴に形成されている。
【００２３】
以上が、本考案の実施例に係る付設パッケージ１０の構成であり、次に、そのパッケージ本体１１の組立手順と、付設パッケージ１０をカートンパック１に付設する手順について説明する。
【００２４】
付設パッケージ１０は、図１に示すパッケージブランクＢの破線部を山折りし、鎖線部を谷折りするように折り起こして形成されるもので、まず、そのパッケージブランクＢから図２（ａ）の如くパッケージ本体１１の底面部１４、前面部１３及び上面部１２を折り起こすと共に、上面部１２に形成された接合用タブ２０Ｒ、２０Ｌを折り起こし、その接合用タブ２０Ｒ及び２０Ｌを背面部１５に形成された接合用スリット２１Ｒ、２１Ｌに差し込んで背面部１５の裏面側に折り曲げることにより、図２（ｂ）の如くパッケージ本体１１の上面部１２と背面部１５とを互いに接合させて、横筒形のパッケージ本体１１を組み立てる。
【００２５】
そして、付設パッケージ１０をカートンパック１に付設するときは、パッケージ本体１１の背面部１５の上端に形成されたフラップ１８を図２（ｂ）の如く背面部１５の裏面方向に直角的に折り曲げて、そのフラップ１８を図３（ａ）の如くカートンパック１の前壁部３側から上壁部２に被せると共に、フラップ１８の左端側に形成された第二のタブ１９を同図（ａ）の如くフラップ１８の下面側に折り返して、そのタブ１９を矢印Ｆ方向からカートンパック１の上壁部２と該カートンパック１内の缶コーヒーＣ１の上底との間に差し込んで、図３（ｂ）の如き状態とし、その状態から、パッケージ本体１１の背面部１５の右端に形成された第一のタブ１７をカートンパック１の前壁部３と該カートンパック１内の缶コーヒーＣ３の周面との間に差し込む。
【００２６】
このようにしてカートンパック１に付設したパッケージ１０は、図４の如く、パッケージ本体１１の背面部１５がカートンパック１の前壁部３の右端側の表面に押し当てられて、そのパッケージ本体１１の上部が、カートンパック１の上壁部２に固定されると共に、パッケージ本体１１の右側部が、カートンパック１の前壁部３に固定された状態となる。
【００２７】
したがって、付設パッケージ１０は、カートンパック１の前壁部３の右端側に偏在した状態に付設され、カートンパック１の前壁部３の左端側に介在する部分が存しないから、その前壁部３の表面に印刷された宣伝広告用の文字や絵柄、写真等を覆い隠す不具合を最小限に抑えることができる。
【００２８】
また、付設パッケージ１０は、これをカートンパック１の前壁部３に付設すると、パッケージ本体１１の背面部１５がカートンパック１の前壁部３の表面に押し当てられて、その背面部１５に形成された接合用スリット２１Ｒ、２１Ｌに差し込んで背面部１５の裏面側に折り曲げた上面部１２の接合用タブ２０Ｒ、２０Ｌが、接合用スリット２１Ｒ、２１Ｌから抜け出すことが阻止されることとなるので、その接合用タブ２０Ｒ、２０Ｌを接着テープ等で背面部１５の裏面に固定しなくとも、上面部１２と背面部１５の接合状態が不如意に解除されてパッケージ本体１１が崩壊するというような不具合は生じないし、販促用のおまけ品として付ける缶コーヒーＣ７は、図４の如くパッケージ本体１１の上面部１２に形成された穴１６に差し込んで確実に保持されるから脱落のおそれはない。
【００２９】
また、パッケージ本体１１の上面部１２が、図示の如く背面部１５から前面部１３へ片流れする傾斜上面部となるようにすれば、缶コーヒーＣ７の下底を上面部１２の傾斜に沿って滑らせるようにして、その缶コーヒーＣ７を上面部１２に形成された楕円形の穴１６に円滑に差し込むことができると同時に、楕円形の穴１６に差し込んだ缶コーヒーＣ７の周面に印刷されている文字や絵柄等を見えやすくすることができるという効果がある。
【００３０】
なお、本考案は、パッケージ本体１１の前面部１３の高さを、背面部１５に形成された接合用スリット２１Ｒ、２１Ｌの高さと略同等の高さに形成して、上面部１２が水平上面部となるようにすると共に、その水平上面部となる上面部１２に形成する穴１６を缶コーヒーＣ７が差し込める円形の穴とするものも含まれる。
【００３１】
また、実施例の付設パッケージ１０は、６本の缶コーヒーＣ１〜Ｃ６を一括包装したカートンパック１に付設するものであるが、本考案の付設パッケージは、これに限らず、複数本の缶ジュースや缶ビール等を一括包装したカートンパックに付設するものであってもよい。
【００３２】
また、実施例の付設パッケージ１０は、パッケージ本体１１の上面部１２に形成された穴１６が、打抜き穴からなるものであるが、これに限らず、例えば、パッケージ本体の上面部に菊割れ状の切れ目を入れて複数枚形成される菊割れ片をパッケージ本体の底面部側に折り曲げて開口せられる穴であってもよく、パッケージ本体の底面部側に折り曲げた菊割れ片は、穴に差し込まれた販促用のおまけ品を保持してその抜け出しを阻止する作用を奏する。
【００３３】
また、付設パッケージのパッケージ本体の上面部に形成された穴に差し込んで保持する販促用のおまけ品は、缶コーヒー等の缶入り飲料に限らず、例えば、コップやグラス、あるいは透明プラスチックケースに入れたミニカーやフィギュア等であってもよく、パッケージ本体の上面部に形成する穴の形状や大きさも、その穴に差し込むおまけ品の種類や形状等に応じて適宜に変更し得る。
【符号の説明】
【００３４】
１…カートンパック
２…上壁部
３…前壁部
４…下壁部
５…後壁部
Ｃ１〜Ｃ６…缶コーヒー
１０…付設パッケージ
Ｂ…パッケージブランク
１１…パッケージ本体
１２…上面部
１３…前面部
１４…底面部
１５…背面部
１６…穴
１７…第一のタブ
１８…フラップ
１９…第二のタブ
２０Ｒ、２０Ｌ…接合用タブ
２１Ｒ、２１Ｌ…接合用スリット
Ｃ７…缶コーヒー（販促用のおまけ品）
【図１】
0003181922.tif 000003
【図２】
0003181922.tif 000004
【図３】
0003181922.tif 000005
【図４】
0003181922.tif 000006
【図５】
0003181922.tif 000007